(57)【要約】【課題】植物をコンパクトに配置して無駄なスペースを無くすことで、植物を効率良く栽培可能な植物栽培用棚及び植物栽培ユニットを提供する。【解決手段】植物栽培用棚４０は、上下方向に間隔を空けて複数設けられ、栽培トレイ３０を載置するための載置板５０と、各々の載置板５０に対して設けられ、植物に光を照射するための照明装置６０と、を備えている。各載置板５０は、果菜栽培トレイ３１がそれぞれ上面に載置される一対の第１載置部５１と、一対の第１載置部５１の間に配置され、第１載置部５１よりも上方位置に配置され、葉菜栽培トレイ３２が上面に載置される第２載置部５２と、を有している。下段載置板５０ｂに対して設けられる照明装置６０は、上段載置板５０ａの第２載置部５２の底面に取り付けられている。【選択図】図２
2017063721.tif 000002
【特許請求の範囲】
【請求項１】
植物栽培用の栽培トレイを載置するための植物栽培用棚であって、
上下方向に間隔を空けて複数設けられ、前記栽培トレイを載置するための載置板と、
各々の前記載置板に対してそれぞれ設けられ、植物に光を照射するための照明装置と、を備え、
前記載置板は、
上下方向に並んで配置された上段載置板及び下段載置板を含み、
それぞれ、前記栽培トレイが上面に載置される第１部分と、該第１部分とは水平方向において異なる位置に設けられ、前記第１部分よりも上方位置に配置される第２部分と、を有し、
前記下段載置板に対して設けられる前記照明装置は、
水平方向において前記上段載置板の前記第２部分と対向する位置に配置され、かつ、
上下方向において前記上段載置板の前記第１部分と前記第２部分との間に配置されていることを特徴とする植物栽培用棚。
【請求項２】
前記下段載置板に対して設けられる前記照明装置は、前記上段載置板において前記第２部分の底面に取り付けられていることを特徴とする請求項１に記載の植物栽培用棚。
【請求項３】
前記載置板は、水平方向において前記第１部分と前記第２部分との間に配置され、前記第１部分から前記第２部分に向かって上方傾斜して延びる第３部分を有していることを特徴とする請求項１又は２に記載の植物栽培用棚。
【請求項４】
前記第１部分及び前記第２部分のいずれか一方は、水平方向において前記第１部分及び前記第２部分のいずれか他方を間に挟むように一対となって配置され、
前記第３部分は、水平方向において一対からなる前記一方と前記他方とをそれぞれ連結するように一対となって配置されていることを特徴とする請求項３に記載の植物栽培用棚。
【請求項５】
前記第３部分の上面には、前記第１部分上の前記栽培トレイから突出した前記植物の一部を保持するための保持部材が取り付けられていることを特徴とする請求項３又は４に記載の植物栽培用棚。
【請求項６】
果菜植物を栽培するために用いられる果菜栽培トレイと、葉菜植物を栽培するために用いられる葉菜栽培トレイと、をそれぞれ載置するための前記植物栽培用棚において、
前記第１部分は、前記果菜栽培トレイが上面に載置される第１載置部であって、
前記第２部分は、前記葉菜栽培トレイが上面に載置される第２載置部であることを特徴とする請求項１乃至５のいずれか１項に記載の植物栽培用棚。
【請求項７】
前記載置板の上面又は底面には、前記照明装置から照射された光を反射するための反射板が取り付けられていることを特徴とする請求項１乃至６のいずれか１項に記載の植物栽培用棚。
【請求項８】
前記載置板上に載置された前記栽培トレイを前記植物栽培用棚の外側に向かって移動させるためのトレイ移動装置を備えていることを特徴とする請求項１乃至７のいずれか１項に記載の植物栽培用棚。
【請求項９】
請求項１乃至８のいずれか１項に記載の植物栽培用棚と、前記栽培トレイと、を備え、
空調装置が設けられた空間内で用いられることを特徴とする植物栽培ユニット。
【発明の詳細な説明】
【技術分野】
【０００１】
本発明は、植物栽培用棚及び植物栽培ユニットに係り、特に、内部環境をコントロールした空間内で植物を栽培するために用いられる植物栽培用棚及び植物栽培ユニットに関する。
【背景技術】
【０００２】
従来、安全な食材の周年供給を目的として、内部環境をコントロールした閉鎖的又は半閉鎖的な空間内で植物を計画的に生産することが可能な植物工場が広く知られている。植物工場では、一般に養液栽培を利用して人工光を光源として植物を生育させており、空間内の温度、湿度及び二酸化炭素濃度等を制御することで野菜や果物の生産性を向上させている。
この植物工場では、植物栽培用の栽培トレイを上下方向に間隔を空けて複数載置可能な多段式の栽培用棚が広く利用されている。そして、当該栽培用棚内において大きさが異なる植物であったり、同じ植物で成長段階の異なるものであってもコンパクトに配置して無駄なスペースをなくし、これら植物を効率良く栽培可能な技術が提案されているところである（例えば、特許文献１、２参照）。
【０００３】
特許文献１に記載の多段式の栽培用棚（栽培装置）では、大きさが異なる複数の植物体にそれぞれ適した栽培空間を形成するために、植物体を支持するための植物支持板が段差形状や傾斜形状に適宜形成されており、種々の植物体が上下方向においてコンパクトに配置されている。
また特許文献２に記載の多段式の植物栽培装置についても、栽培用棚ではないものの、植物を栽培するための栽培トレイが上面に載置され、植物に光を照射するための照明装置が底面に取り付けられたコンベアユニットを備えており、上下方向において無駄なスペースを極力なくし、植物を効率良く栽培しようとしている。
【先行技術文献】
【特許文献】
【０００４】
【特許文献１】特開２０１５−１３９４１０号公報
【特許文献２】特開２０１５−１２８２６号公報
【発明の概要】
【発明が解決しようとする課題】
【０００５】
ところで、果菜植物や葉菜植物を含む多くの植物の茎や葉は、植物の屈光性によって又は植物体内の葉緑素が光を感知することで、光の方向へ向かって伸びていく性質がある。
そのため、栽培用棚において植物をより効率良く栽培するためには、植物の成長過程を考慮した上で、栽培トレイを載置するための載置板や、光源となる照明装置の配置、構成を工夫することが必要となる。
しかしながら、特許文献１のような多段式の栽培用棚では、植物体の大きさに合わせて載置板の形状を工夫しているものの、照明装置の配置、構成については特に考慮されていなかった。そのため、単に植物体の真上に照明装置を設置してしまうと、植物体の茎や葉が真上に伸びて上段の載置板に当接してしまい、植物の成長を阻害してしまう虞があった。
また特許文献２のような多段式の植物栽培装置についても、特に植物の茎や葉が光に向かって伸びていく性質を考慮したものではなく、また、比較的複雑な構成となっていた。
【０００６】
本発明は、上記の課題に鑑みてなされたものであり、本発明の目的は、植物の成長過程を考慮した上で、棚内において植物をコンパクトに配置して無駄なスペースを無くすことで、植物を効率良く栽培することが可能な植物栽培用棚及び植物栽培ユニットを提供することにある。
また本発明の他の目的は、複雑な装置を必要とせず、棚内において果菜植物や葉菜植物を含む多品目の植物をコンパクトに配置することで、多品目の植物を効率良く栽培することが可能な植物栽培用棚及び植物栽培ユニットを提供することにある。
【課題を解決するための手段】
【０００７】
前記課題は、本発明の植物栽培用棚によれば、植物栽培用の栽培トレイを載置するための植物栽培用棚であって、上下方向に間隔を空けて複数設けられ、前記栽培トレイを載置するための載置板と、各々の前記載置板に対してそれぞれ設けられ、植物に光を照射するための照明装置と、を備え、前記載置板は、上下方向に並んで配置された上段載置板及び下段載置板を含み、それぞれ、前記栽培トレイが上面に載置される第１部分と、該第１部分とは水平方向において異なる位置に設けられ、前記第１部分よりも上方位置に配置される第２部分と、を有し、前記下段載置板に対して設けられる前記照明装置は、水平方向において前記上段載置板の前記第２部分と対向する位置に配置され、かつ、上下方向において前記上段載置板の前記第１部分と前記第２部分との間に配置されていること、により解決される。
【０００８】
上記構成により、植物の成長過程を考慮した上で、棚内において植物をコンパクトに配置して無駄なスペースを無くすことができ、植物を効率良く栽培することが可能な植物栽培用棚を実現できる。
具体的に説明すると、植物の茎や葉が光の方向へ向かって伸びていく性質を考慮して、下段載置板に対して設けられる照明装置が、下段載置板に載置される栽培トレイに対して斜め上方の位置に配置されることになる。
その結果、従来のように植物の真上に照明装置を設置することで、植物の茎や葉が真上に伸びてしまい上段載置板に当接してしまうことがなく、植物の茎や葉が照明装置に向かって斜め上に伸びていくため、植物の成長を阻害してしまう虞がなくなる。
また、従来のように比較的複雑な構成をとることがなく、当該載置板を上下方向に複数並べて配置するだけのシンプルな構成となる。また、当該載置板を上下方向に間隔を狭めて配置することができ、従来よりも多くの段数を配置できるため、棚内において植物を上下方向にコンパクトに配置でき、無駄なスペースを無くすことができる。
【０００９】
このとき、前記下段載置板に対して設けられる前記照明装置は、前記上段載置板において前記第２部分の底面に取り付けられていると良い。
上記構成により、当該載置板を上下方向により間隔を狭めて配置することができ、より多くの段数を配置することができるため、一層無駄なスペースを無くすことができる。
【００１０】
このとき、前記載置板は、水平方向において前記第１部分と前記第２部分との間に配置され、前記第１部分から前記第２部分に向かって上方傾斜して延びる第３部分を有していると良い。
上記構成により、栽培トレイ内の植物の茎や葉が照明装置に向かって斜め上に伸びていくときに、上方傾斜面からなる第３部分が当該植物の茎や葉を保持しながらガイドすることができる。
【００１１】
このとき、記第１部分及び前記第２部分のいずれか一方は、水平方向において前記第１部分及び前記第２部分のいずれか他方を間に挟むように一対となって配置され、
前記第３部分は、水平方向において一対からなる前記一方と前記他方とをそれぞれ連結するように一対となって配置されていると良い。
上記構成により、例えば、載置板において水平方向の両端部分に栽培トレイをそれぞれ載置して、中央部分に照明装置を取り付ける構成が可能になる。そのほか、載置板においてその両端部分に照明装置をそれぞれ取り付けて、中央部分に栽培トレイを複数配置する構成も可能となる。
従って、棚内において植物を一層コンパクトに配置して無駄なスペースを無くし、複数の植物を効率良く栽培できる。
【００１２】
このとき、前記第３部分の上面には、前記第１部分上の前記栽培トレイから突出した前記植物の一部を保持するための保持部材が取り付けられていると良い。
上記構成により、栽培トレイ内の植物の茎や葉が照明装置に向かって斜め上に伸びていくときに、第３部分に取り付けられた保持部材が植物の茎や葉を安定して保持しながらガイドできる。
【００１３】
このとき、果菜植物を栽培するために用いられる果菜栽培トレイと、葉菜植物を栽培するために用いられる葉菜栽培トレイと、をそれぞれ載置するための前記植物栽培用棚において、前記第１部分は、前記果菜栽培トレイが上面に載置される第１載置部であって、前記第２部分は、前記葉菜栽培トレイが上面に載置される第２載置部であると良い。
上記構成により、棚内において果菜植物や葉菜植物を含む多品目の植物をそれぞれコンパクトに配置することができ、多品目の植物を効率良く栽培することができる。
特に、葉菜植物は一般に草丈が低く、十分な光を必要とする植物であることから、載置板のうち、照明装置により近い部分に当該植物を載置可能な本構成が格別な効果を有する。
また果菜植物は一般に草丈が高く、かつ、植物全体に均一に強い光を当てる必要がない植物であることから、載置板のうち、照明装置からより離れた部分に当該植物を載置可能な本構成が格別な効果を有する。
従って、性質の異なる植物同士を棚内において上記のように配置することで、効率的な多品目栽培が可能となる。
【００１４】
このとき、前記載置板の上面又は底面には、前記照明装置から照射された光を反射するための反射板が取り付けられていると良い。
上記構成により、従来の植物栽培用棚よりも照明装置の本数を減らすことができ、より低コストな栽培設備を実現することができる。
【００１５】
このとき、前記載置板上に載置された前記栽培トレイを前記植物栽培用棚の外側に向かって移動させるためのトレイ移動装置を備えていると良い。
上記構成により、例えば上下に並ぶ載置板の間隔を狭めたときにも、栽培トレイを容易に外側に取り出すことができ、収穫作業や病害のチェック作業を容易に行うことができる。
【００１６】
また、上記植物栽培用棚と、上記栽培トレイと、を備え、空調装置が設けられた空間内で用いられる植物栽培ユニットも実現可能である。
【発明の効果】
【００１７】
本発明の植物栽培用棚及び植物栽培ユニットによれば、植物の成長過程を考慮した上で、棚内において植物をコンパクトに配置して無駄なスペースを無くすことで、植物を効率良く栽培することが可能となる。
特に、複雑な装置を必要とせず、棚内において果菜植物や葉菜植物を含む多品目の植物をコンパクトに配置することで、多品目の植物を効率良く栽培することが可能となる。
【図面の簡単な説明】
【００１８】
【図１】本実施形態の植物栽培施設を説明する斜視図である。
【図２】栽培トレイが載置された植物栽培用棚を示す側面図であって、植物が植えられた状態を示す説明図である。
【図３Ａ】スライド式のトレイ移動装置を示す説明図である。
【図３Ｂ】昇降式のトレイ移動装置を示す説明図である。
【図４】第２実施形態の植物栽培用棚の側面図である。
【発明を実施するための形態】
【００１９】
以下、本発明の実施形態について図１〜図４を参照して説明する。
本実施形態は、植物栽培用の栽培トレイと、植物栽培用棚とを備えた植物栽培ユニットであって、植物栽培用棚は、上下方向に間隔を空けて複数設けられ、栽培トレイを載置するための載置板と、各々の載置板に対して設けられ、植物に光を照射するための照明装置と、を備えており、各載置板は、果菜栽培トレイがそれぞれ上面に載置される一対の第１載置部と、一対の第１載置部の間に配置され、第１載置部よりも上方位置に配置され、葉菜栽培トレイが上面に載置される第２載置部と、を有しており、下段載置板に対して設けられる照明装置は、上段載置板の第２載置部の底面に取り付けられていることを特徴とする植物栽培ユニットの発明に関するものである。
【００２０】
植物栽培ユニットを含む植物栽培施設１は、図１に示すように、内部環境をコントロールした閉鎖的な空間内で植物を生産するための建物ユニットである。
植物栽培施設１は、建物外部において天壁上面に設置される太陽光発電装置１０と、建物内部において所定内壁面の上方部分に設置される空調装置２０と、植物を栽培するために用いられる栽培トレイ３０と、複数の栽培トレイ３０を上下方向に間隔を空けて載置するための植物栽培用棚４０と、を主に備えている。
そして、植物栽培ユニットは、複数の栽培トレイ３０と、植物栽培用棚４０と、を少なくとも備えたものに相当する。
【００２１】
植物栽培施設１は、図１に示すように、略直方体状の比較的小型な建物ユニットからなるが、建物の形態をショーケース型やパネル型のように一層小型化しても良いし、大規模な建物で構成されていても良い。また、閉鎖的な空間内で完全人工光によって植物を栽培するほか、半閉鎖的な空間内で太陽光と人工光とを併用して植物を栽培する構成としても良い。
太陽光発電装置１０は、太陽光エネルギーを電気エネルギーに変換する機器であって、不図示のパワーコンディショナーと接続されており、太陽光発電装置１０で発生した直流電力がパワーコンディショナーによって交流電力に変換されて、例えば空調装置２０や後述の照明装置６０等の電力として利用されている。
空調装置２０は、植物栽培施設１内の空調設備として、温度や湿度を調整するための壁掛け型のエア・コンディショナーであって、主に冷房機能によって施設内の温度を一定に保持するために利用されている。
空調装置２０から排出されるドレン水は、当該ドレン水の流路を形成する配管を介して栽培トレイ３０に向かって流出し、最終的に廃液タンクに排出されている。
【００２２】
栽培トレイ３０は、図１、図２に示すように、植物を栽培するために用いられる長尺な箱型形状の樹脂製容器であって、栽培トレイ３０内部には、植物を育成させるための不図示の培地と、培地に植えられた植物を保持するための不図示のプレート材と、プレート材に灌水するための不図示の灌水チューブ等が収容されている。
栽培トレイ３０は、草丈の高いトマトやキュウリ等の果菜植物を栽培するために用いられる果菜栽培トレイ３１と、草丈の低いレタス等の葉菜植物を栽培するために用いられる葉菜栽培トレイと、を備えており、それぞれ植物栽培用棚４０の載置板に載置されるものである。
なお、果菜栽培トレイ３１は、果菜植物のほか、草丈の高いリンゴやミカン等の果樹植物を栽培するために用いられても良いし、葉菜栽培トレイ３２は、葉菜植物のほか、草丈の低い薬草やハーブ等のほふく性植物を栽培するために用いられても良い。
【００２３】
植物栽培用棚４０は、図１に示すように、栽培トレイ３０を複数載置するために用いられる多段式の棚部材であって、植物栽培施設１の前後方向に長尺に延びて設置され、左右幅方向に所定の間隔を空けて２台設置されている。
また植物栽培用棚４０は、空調装置２０よりも下方位置に設置され、空調装置２０を左右幅方向において挟み込む位置に配置されている。
なお、植物栽培用棚４０には、不図示の養液タンクと、不図示の養液循環用ポンプと、不図示の養液循環パイプとが備え付けられており、不図示の制御コントローラによって、所定のタイミングで培養液が養液タンクから栽培トレイ３０内へ流れるように制御されている。そして不要となった培養液は、排水パイプを介して廃液タンクに排出されている。
【００２４】
植物栽培用棚４０は、図２に示すように、上下方向に所定の間隔を空けて複数設けられ、栽培トレイ３０を載置するための載置板５０と、各々の載置板５０に対してそれぞれ上方位置に設けられ、植物に光を照射するための照明装置６０と、図３Ａ、図３Ｂに示すように、載置板５０上に載置された栽培トレイ３０を植物栽培用棚４０の外側に向かって移動させるためのトレイ移動装置７０と、を主に備えている。
本実施形態では、載置板５０が上下方向に間隔を空けて４枚取り付けられており、また、載置板５０よりも上方位置には天板が取り付けられている。
【００２５】
載置板５０は、図２に示すように、段差形状の長尺な板部材からなり、果菜栽培トレイ３１及び葉菜栽培トレイ３２をそれぞれ別の場所に仕切って載置するものである。
なお、載置板５０は、公知な折半屋根のような部材を採用することで、低コストで製造することが可能である。
載置板５０は、果菜栽培トレイ３１が上面に載置される一対の第１載置部５１と、一対の第１載置部５１の間に設けられ、第１載置部５１よりも上方位置に配置され、葉菜栽培トレイ３２が上面に載置される第２載置部５２と、一対の第１載置部５１と第２載置部５２とをそれぞれ連結するように配置され、第１載置部５１から第２載置部５２に向かって上方傾斜して延びている一対の第３載置部５３と、から主に構成されている。
【００２６】
載置板５０のうち、上下方向に並んで配置される上段載置板５０ａと下段載置板５０ｂの間には、果菜栽培トレイ３１の果菜植物が照明装置６０に向かって十分に伸びていける程度の間隔が空けられている。
また載置板５０のうち、第３載置部５３の上面には、果菜栽培トレイ３１から張り出した果菜植物の一部を保持するための保持部材５４が取り付けられており、また第３載置部５３の底面には、照明装置６０から照射された光を反射するための反射板５５が取り付けられている。
【００２７】
保持部材５４は、長尺なプレート部材からなり、照明装置６０に向かって伸びていく果菜植物の茎や葉が倒れない程度の高さを有して第３載置部５３上に取り付けられている。
なお、保持部材５４の形状は任意であって、果菜栽培トレイ３１に植えられた果菜植物に応じて適宜選択されると良い。
反射板５５は、光の反射率の高い公知な部材からなり、照明装置から照射される光を果菜栽培トレイ３１に植えられた果菜植物、及び葉菜栽培トレイ３２に植えられた葉菜植物に向かって反射させるように取り付けられている。
なお、反射板５５は、第３載置部５３の底面に取り付けられるほか、第１載置部５１及び第２載置部５２の底面や、第３載置部５３の上面にさらに取り付けられていても良い。
【００２８】
照明装置６０は、図２に示すように、栽培トレイ３０内の植物に光を照射するための蛍光灯であって、載置板５０のうち、第２載置部５２の底面に設置されており、載置板５０の長尺方向に沿って延びている。
また照明装置６０は、果菜栽培トレイ３１に対して斜め上方向の位置に配置されており、葉菜栽培トレイ３２に対して真上位置に配置されている。
なお、照明装置６０は、蛍光灯のほか、ＬＥＤ照明装置等の公知な照明器具を採用しても良い。
【００２９】
上記構成において、図２に示すように、下段載置板５０ｂに対して設けられる照明装置６０は、上段載置板５０ａの第２載置部５２の底面に取り付けられている。
言い換えると、下段載置板５０ｂに対して設けられる照明装置６０は、下段載置板５０ｂ上に載置される果菜栽培トレイ３１に対して斜め上方の位置に配置されている。
その結果、果菜植物の茎や葉が照明装置６０に向かって斜め上に伸びていくため、上下に並べられた載置板５０同士の上下方向の間隔を従来よりも狭めたとしても、果菜植物の成長を阻害してしまう虞がなくなる。そして、従来よりも多くの段数を配置することで、棚内において植物をコンパクトに配置して無駄なスペースを無くすことができる。
また、下段載置板５０ｂに対して設けられる照明装置６０が、下段載置板５０ｂに載置される葉菜栽培トレイ３２の真上位置に配置されている。
その結果、葉菜植物は一般に草丈が低く、十分な光を必要とする植物であることから、照明装置６０により近い部分に葉菜栽培トレイ３２を載置することで、棚内のスペースを有効活用することができる。
従って、本植物栽培用棚４０であれば、より効率的な多品目栽培が可能となる。
【００３０】
トレイ移動装置７０は、図３Ａに示すように、果菜栽培トレイ３１を植物栽培用棚４０の外側に向かってスライド移動させるための公知なスライドレール装置である。
具体的には、トレイ移動装置７０によって、載置板５０の第１載置部５１が、棚の外側に向かって一部スライド移動することができる。
詳しく説明すると、トレイ移動装置７０は、第１載置部本体５１ａ上に取り付けられる固定レール７１と、第１載置部可動体５１ｂの底面に取り付けられ、固定レール７１に対して摺動可能に取り付けられる可動レール７２と、から主に構成されている。
上記構成より、作業者が第１載置部可動体５１ｂの外側面に取り付けられた取っ手７３を引くことで、第１載置部可動体５１ｂ上に載置された果菜栽培トレイ３１を引き出すことができる。
【００３１】
またトレイ移動装置７０の代わりに、図３Ｂに示すように、果菜栽培トレイ３１を植物栽培用棚４０の外側に向かって昇降移動させることが可能な昇降装置であっても良い。
詳しく説明すると、トレイ移動装置１７０は、植物栽培用棚４０の柱部分に対して回転軸１７１を介して回転可能となるように連結された把持部材１７２を備えている。
把持部材１７２は、各果菜栽培トレイ３１を間に挟む位置に一対となって設けられており、果菜栽培トレイ３１を把持した状態で棚の外側に向かって回転移動することができる。
上記構成により、作業者が果菜栽培トレイ３１を掴んで手前に引くことで、果菜栽培トレイ３１を回転軸１７１を中心として下方回転させながら容易に引き出すことができる。
【００３２】
＜植物栽培用棚の第２実施形態＞
次に、植物栽培用棚の第２実施例について、図４に基づいて説明する。
なお、以下の説明において、上述の植物栽培用棚４０と重複する内容は説明を省略する。
第２実施例に係る植物栽培用棚１４０では、植物栽培用棚４０と比較して、載置板１５０及び照明装置１６０の配置、構成が異なっている。
【００３３】
載置板１５０は、複数の果菜栽培トレイ３１が上面に載置される第１載置部１５１と、第１載置部１５１を間に挟む位置に設けられ、第１載置部１５１よりも上方位置に配置され、葉菜栽培トレイ３２が上面に載置される一対の第２載置部１５２と、第１載置部１５１と一対の第２載置部１５２とをそれぞれ連結するように配置され、第１載置部１５１から第２載置部１５２に向かって上方傾斜して延びている一対の第３載置部１５３と、から主に構成されている。
照明装置１６０は、載置板１５０のうち、一対の第２載置部１５２の底面にそれぞれ設置され、果菜栽培トレイ３１に対してそれぞれ斜め上方向の位置に配置されており、また、葉菜栽培トレイ３２に対してそれぞれ真上位置に配置されている。
【００３４】
上記構成においても、果菜植物の茎や葉が照明装置１６０に向かって斜め上に伸びていくため、上下に並べた載置板１５０同士の上下方向の間隔を従来よりも狭めたとしても、果菜植物の成長を阻害してしまう虞がなくなる。そして、従来よりも多くの段数を配置することができ、棚内において植物をコンパクトに配置して無駄なスペースを無くすことができる。
また、照明装置１６０により近い部分に葉菜栽培トレイ３２を載置することで、棚内のスペースを有効活用することができる。
【００３５】
＜その他の実施形態＞
上記実施形態の植物栽培施設１では、図１に示すように、植物栽培用棚４０が、植物栽培施設１の前後方向に長尺に延びて設置され、左右幅方向に間隔を空けて設置されているが、棚の大きさや配置レイアウトについて特に限定されることなく変更可能である。
本配置レイアウトでは、栽培トレイ３０（果菜栽培トレイ３１）を棚から取り出すとき、図３Ａ、図３Ｂに示すように、トレイ移動装置７０によって栽培トレイ３０が上記左右幅方向に移動しているが、棚の大きさや配置レイアウトの変更に伴って、栽培トレイ３０が上記前後方向に移動するようにしても良い。
【００３６】
また上記実施形態では、図２、図４に示すように、果菜栽培トレイ３１が第１載置部５１上に載置され、葉菜栽培トレイ３２が第２載置部５２上に載置されているが、特に限定されることなく、例えば葉菜栽培トレイ３２が載置されていなくても良い。
【００３７】
また上記実施形態では、図２に示すように、載置板５０が一対の第１載置部５１と、第２載置部５２と、一対の第３載置部５３とを備えているが、特に限定されることなく変更可能である。
例えば、載置板５０が、第１載置部５１と第２載置部５２と第３載置部５３とを１つずつ備えていても良く、コンパクトな植物栽培用棚４０を形成することができる。
また例えば、載置板５０が、第１載置部５１（第１部分）と第２載置部５２（第２部分）とを１つずつのみ備えていても良く、その場合には第２載置部５２（第２部分）が上方傾斜面を有し、葉菜栽培トレイ３２を上面に載置することなく、果菜栽培トレイ３１の植物の茎や葉を保持する構成にすることが望ましい。
また例えば、載置板５０のうち、一対の第３載置部５３が上方に真っ直ぐ延出していても良く、その場合には一層コンパクトな植物栽培用棚４０を形成することができる。
【００３８】
また上記実施形態では、図２に示すように、下段載置板５０ｂに対する照明装置６０が上段載置板５０ａの第２載置部５２の底面に取り付けられているが、特に限定されることなく変更可能である。
すなわち、照明装置６０は、少なくとも水平方向において上段載置板５０ａの第２載置部５２と対向する位置に配置され、かつ、上下方向において上段載置板５０ａの第１載置部５１と第２載置部５２の間に配置されていれば良い。
具体的には、例えば照明装置６０が長尺な蛍光灯であって、植物栽培用棚４０の長尺方向の両端部分に挟まれて取り付けられていても良い。
【００３９】
また上記実施形態では、図３Ａ、図３Ｂに示すように、トレイ移動装置７０は、果菜栽培トレイ３１を取り出すために取り付けられているが、さらに葉菜栽培トレイ３２を取り出すために新たに取り付けられていても良い。
【００４０】
本実施形態では、主として本発明に係る植物栽培用棚及び植物栽培ユニットに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００４１】
１  植物栽培施設
１０  太陽光発電装置
２０  空調装置
３０  栽培トレイ
３１  果菜栽培トレイ
３２  葉菜栽培トレイ
４０、１４０  植物栽培用棚
５０、１５０  載置板
５０ａ  上段載置板
５０ｂ  下段載置板
５１、１５１  第１載置部（第１部分）
５１ａ  第１載置部本体
５１ｂ  第１載置部可動体
５２、１５２  第２載置部（第２部分）
５３、１５３  第３載置部（第３部分）
５４  保持部材
５５  反射板
６０、１６０  照明装置
７０、１７０  トレイ移動装置
７１  固定レール
７２  可動レール
７３  取っ手
１７１  回転軸
１７２  把持部材
【図１】
2017063721.tif 000003
【図２】
2017063721.tif 000004
【図３Ａ】
2017063721.tif 000005
【図３Ｂ】
2017063721.tif 000006
【図４】
2017063721.tif 000007